(57)【要約】      （修正有）【課題】コートや布団カバー、シーツ、布団などの大型物や、ハンカチ、靴下、下着、ストッキングなどの小物を干すときに使用でき、迅速に組立、分解することができ、携帯に便利な多機能ハンガーの構造を提供する。【解決手段】主に本体１、フック２、リング３、二つのハンガー４で構成する多機能ハンガーの構造である。まず二つのハンガーのフレームを本体の底部にある貫通穴から入れ、Ｔ字型溝の横向き方向に進めて、ハンガーの必要とする角度に調整してから、左右にある貫通穴１３の凹溝に該ハンガーの円柱体の凸溝を嵌合する。次にフックを本体の頂上の中央にある穴から底部まで挿入し、ナット３１をねじ山に螺合して、本多機能ハンガーを組み立てる。【選択図】図４
0003165981.tif 000002
【実用新案登録請求の範囲】
【請求項１】
本体、フック、リング、ハンガーを含み、
該本体は矩形体であり、該本体の中央に本体の頂上から底部まで貫通する穴を具有し、
本体１の側面の左右に貫通する穴を設け、該穴の内側に溝を設置し、
該本体の貫通穴の底部から左右の穴に通じるＴ字形溝を設置し、
本体の上方左右にそれぞれ４つの貫通穴を設け、該貫通穴は側面からサイド側に貫通し、
該フックは棒状の上端にアーチ型のフック、下端にねじ山を設け、
該リングの上方にナットを具有し、該リングは自由に回転して角度を調整することができ、
該ハンガーに含まれるのは円柱体、二つのリング、ゴムバンドであり、
該円柱体はハンガーの両サイド傾斜辺の頂点交わる位置に設置し、該円柱体の外側に凸溝を設け、
該二つのリングはハンガーの両サイドの傾斜辺と底辺との接続箇所に設置し、
該ゴムバンドを該ハンガーの如何なる一つのリングと掛合し、
該二つのハンガーのフレームを本体の底部にある貫通穴から入れ、Ｔ字型溝の横向き方向に進めて、ハンガーの必要な角度に調整してから、左右にある貫通穴の凹溝に該ハンガーの円柱体の凸溝を嵌合する。次にフックを本体の頂上の中央にある穴から底部まで挿入し、ナットをねじ山に螺合することを特徴とする多機能ハンガーの構造。
【請求項２】
前記本体中央の両サイドに穴を設け、該穴の中に凹溝を設置し、該凹溝はハンガーの円柱体の凸溝と互いに嵌合し、二つのハンガーを必要とする角度に開くことができ、それによって十分な風を通せるスペースができ、干す或いは乾かす時間が短縮できることを特徴とする請求項１記載の多機能ハンガーの構造。
【請求項３】
前記ハンガーの底辺にゴムバンドを巻き付けることで、小物を干す際に、該ゴムバンドに挟むことができることを特徴とする請求項１記載の多機能ハンガーの構造。
【請求項４】
前記ゴムバンドの一端を如何なる一つのリングと掛合し、大型シーツなどを干す或いは乾かす際、重さにより垂れる或いは落ちる可能性がある際に、ゴムバンドの掛合していない端を本体の両サイドに設置する穴に通して固定することができることを特徴とする請求項１記載の多機能ハンガーの構造。
【請求項５】
本体、フック、リング、ハンガー、固定台を含み、
該本体は矩形体であり、該本体の中央に本体の頂上から底部まで貫通する穴を具有し、
本体の側面の左右に貫通する穴を設け、該穴の内側に溝を設置し、
該本体の貫通穴の底部から左右の穴に通じるＴ字形溝を設置し、
本体の上方左右にそれぞれ４つの貫通穴を設け、該貫通穴は側面からサイド側に貫通し、
該フックは棒状の上端にアーチ型のフック、下端にねじ山を設け、
該リングの上方にナットを具有し、該リングは自由に回転して角度を調整することができ、
該ハンガーに含まれるのは円柱体、二つのリング、ゴムバンドであり、
該円柱体はハンガーの両サイド傾斜辺の頂点交わる位置に設置し、該円柱体の外側に凸溝を設け、
該二つのリングはハンガーの両サイドの傾斜辺と底辺との接続箇所に設置し、
該ゴムバンドを該ハンガーの如何なる一つのリングと掛合し、
該固定台はコの字の形態であり、それに含まれるのは上下縁、上下の溝、左右のプレート、二つのネジ穴であり、
該上下縁は固定台の上方及び下方に設置し、該本体に嵌めて固定し、
該上下凹溝は該上下縁の先端から中央にかけて設置し、該下溝の入り口をやや下方に傾斜させることで、該固定台を本体に設置しやすく、外しやすくし、
該左右のプレートは固定台の両サイドに設置し、本体を挿入した後、左右プレートにあるネジ穴にネジを螺合して固定し、
該固定台を壁に固定し、更に組み合わせた多機能ハンガーの二つのハンガーを同じ側の上方と下方に位置させる角度に調整し、本体を固定台に嵌めてから左右プレートのネジ穴にネジを螺合して本体を固定することを特徴とする多機能ハンガーの構造。
【請求項６】
前記二つのハンガーを同じ側の上方と下方に調整することで、縦方向の空間を使用することができ、スペースの増加に繋がることを特徴とする請求項５記載の多機能ハンガーの構造。
【考案の詳細な説明】
【技術分野】
【０００１】
本考案は多機能ハンガーの構造に関し、特に迅速に組立、分解することができ、且つ携帯が便利であるものを指す。特にコートや布団カバー、シーツ、布団などの大型物や、ハンカチ、靴下、下着、ストッキングなどの小物を干すときに使用でき、迅速に組立、分解することができ、携帯に便利な多機能ハンガーの構造に関する。
【背景技術】
【０００２】
大型シーツや衣服を干す、乾かす場合、一般的なハンガーや物干し竿に服或いは布団などをかける、或いは乾燥機を使って乾かすこともあり、これらはいずれも家庭で使う場合は、比較的大きな問題は生じないが、狭いスペースで干す、乾かすとするのは、非常に困難である。
【０００３】
出張或いは家族旅行の際、持参している衣服や大型物を干す或いは乾かすのは大変不便であり、特に子供或いは乳児と一緒に外出或いは旅行する場合、子供或いは乳児の衣服やシーツ、布団は最も汚れる、濡れてしまうものである。それを干す、或いは乾かすのは大変面倒であり、せっかくの旅行の楽しい思い出を曇らせてしまいやすい。よって、手軽に濡れているものを干す、乾かせるものを案出する必要があった。
【先行技術文献】
【特許文献】
【０００４】
【特許文献１】特開２００３−１３５８９４号公報
【考案の概要】
【考案が解決しようとする課題】
【０００５】
本考案の第１の目的は、多機能ハンガーの構造を提供することにある。
本考案の第２の目的は、スペースを取らない多機能ハンガーの構造を提供することにある。
【課題を解決するための手段】
【０００６】
前記課題を解決するため、本考案の第１の目的は多機能ハンガーの構造を提供するものである。それに含まれるのは本体、フック、リング、二つのハンガーである。該本体１の中央に本体の頂上から底部まで貫通する穴を具有し、本体１の側面の左右に貫通する穴及びＴ字形溝を設け、本体の上方左右に側面からサイド側に貫通する４つの穴を設ける。該フックは棒状の上端にアーチ型のフック、下端にねじ山を設ける。該リングの上方にナットを具有し、フックの下方にあるねじ山と螺合する。該ハンガーは円柱体と二つのリング、ゴムバンドを含み、まず二つのハンガーのフレームを本体の底部にある貫通穴から入れ、Ｔ字型溝の横向き方向に進めて、左右にある貫通穴の凹溝に、必要とする角度と方向に調整してから該ハンガーの円柱体の凸溝を嵌合する。次にフックを本体の頂上の中央にある穴から底部まで挿入し、ナットをねじ山に螺合して、本考案の多機能ハンガーを組み立てる。
本考案の第２の目的はスペースを取らない多機能ハンガーの構造であり、それに含まれるのは本体、フック、リング、二つのハンガー、固定台である。該多機能ハンガーの構造は前記実施例の基本構造と同じである。唯一異なるのは固定台であり、それに含まれるのは上下縁、上下の溝、左右のプレートである。該固定台はコの字の形態であり、固定台の上下に上下縁を設け、該上下縁の先端から中央にかけてそれぞれ溝を設置し、該固定台の左右両サイドにそれぞれ二つのプレートを設置し、本体を上下溝に挿入してから左右のプレートで抑え、該プレートのネジ穴にネジを螺合し、本体と固定台を固定する。更にハンガーの円柱体の凸溝は本体左右にある貫通穴の凹溝と必要な角度に調整してから嵌める。同時に二つのハンガーを同じ側の上方と下方に設置し、本考案の多機能ハンガーの第２実施例を組み立てる。
【０００７】
本考案は下記の特徴を有する。
（１）本体、フック、リング、ハンガーを含み、
該本体は矩形体であり、該本体の中央に本体の頂上から底部まで貫通する穴を具有し、
本体１の側面の左右に貫通する穴を設け、該穴の内側に溝を設置し、
該本体の貫通穴の底部から左右の穴に通じるＴ字形溝を設置し、
本体の上方左右にそれぞれ４つの貫通穴を設け、該貫通穴は側面からサイド側に貫通し、
該フックは棒状の上端にアーチ型のフック、下端にねじ山を設け、
該リングの上方にナットを具有し、該リングは自由に回転して角度を調整することができ、
該ハンガーに含まれるのは円柱体、二つのリング、ゴムバンドであり、
該円柱体はハンガーの両サイド傾斜辺の頂点交わる位置に設置し、該円柱体の外側に凸溝を設け、
該二つのリングはハンガーの両サイドの傾斜辺と底辺との接続箇所に設置し、
該ゴムバンドを該ハンガーの如何なる一つのリングと掛合し、
該二つのハンガーのフレームを本体の底部にある貫通穴から入れ、Ｔ字型溝の横向き方向に進めて、ハンガーの必要な角度に調整してから、左右にある貫通穴の凹溝に該ハンガーの円柱体の凸溝を嵌合する。次にフックを本体の頂上の中央にある穴から底部まで挿入し、ナットをねじ山に螺合することを特徴とする多機能ハンガーの構造。
（２）前記本体中央の両サイドに穴を設け、該穴の中に凹溝を設置し、該凹溝はハンガーの円柱体の凸溝と互いに嵌合し、二つのハンガーを必要とする角度に開くことができ、それによって十分な風を通せるスペースができ、干す或いは乾かす時間が短縮できることを特徴とする（１）記載の多機能ハンガーの構造。
（３）前記ハンガーの底辺にゴムバンドを巻き付けることで、小物を干す際に、該ゴムバンドに挟むことができることを特徴とする（１）記載の多機能ハンガーの構造。
（４）前記ゴムバンドの一端を如何なる一つのリングと掛合し、大型シーツなどを干す或いは乾かす際、重さにより垂れる或いは落ちる可能性がある際に、ゴムバンドの掛合していない端を本体の両サイドに設置する穴に通して固定することができることを特徴とする（１）記載の多機能ハンガーの構造。
（５）本体、フック、リング、ハンガー、固定台を含み、
該本体は矩形体であり、該本体の中央に本体の頂上から底部まで貫通する穴を具有し、
本体の側面の左右に貫通する穴を設け、該穴の内側に溝を設置し、
該本体の貫通穴の底部から左右の穴に通じるＴ字形溝を設置し、
本体の上方左右にそれぞれ４つの貫通穴を設け、該貫通穴は側面からサイド側に貫通し、
該フックは棒状の上端にアーチ型のフック、下端にねじ山を設け、
該リングの上方にナットを具有し、該リングは自由に回転して角度を調整することができ、
該ハンガーに含まれるのは円柱体、二つのリング、ゴムバンドであり、
該円柱体はハンガーの両サイド傾斜辺の頂点交わる位置に設置し、該円柱体の外側に凸溝を設け、
該二つのリングはハンガーの両サイドの傾斜辺と底辺との接続箇所に設置し、
該ゴムバンドを該ハンガーの如何なる一つのリングと掛合し、
該固定台はコの字の形態であり、それに含まれるのは上下縁、上下の溝、左右のプレート、二つのネジ穴であり、
該上下縁は固定台の上方及び下方に設置し、該本体に嵌めて固定し、
該上下凹溝は該上下縁の先端から中央にかけて設置し、該下溝の入り口をやや下方に傾斜させることで、該固定台を本体に設置しやすく、外しやすくし、
該左右のプレートは固定台の両サイドに設置し、本体を挿入した後、左右プレートにあるネジ穴にネジを螺合して固定し、
該固定台を壁に固定し、更に組み合わせた多機能ハンガーの二つのハンガーを同じ側の上方と下方に位置させる角度に調整し、本体を固定台に嵌めてから左右プレートのネジ穴にネジを螺合して本体を固定することを特徴とする多機能ハンガーの構造。
（６）前記二つのハンガーを同じ側の上方と下方に調整することで、縦方向の空間を使用することができ、スペースの増加に繋がることを特徴とする（５）記載の多機能ハンガーの構造。
【考案の効果】
【０００８】
本考案は素早く組立、分解することができ、携帯が便利である。特に旅行の際に使用すると、大型物から下着などの小物まで、狭いスペースでも縦方向にスペースを使うことができる。
【図面の簡単な説明】
【０００９】
【図１】本考案における多機能ハンガーの側面図である。
【図２】本考案における多機能ハンガーの断面図である。
【図３】本考案における多機能ハンガーの立体分解図である。
【図４】本考案における多機能ハンガーの立体部である。
【図５】本考案における多機能ハンガーのフック及びリングの正視図である。
【図６】本考案における多機能ハンガーのハンガー正視図である。
【図７】本考案における多機能ハンガーの第２実施例の立体図である。
【図８】本考案における多機能ハンガーの固定台略図である。
【考案を実施するための形態】
【００１０】
図１、図２、図３及び図４に示すのは、本考案における多機能ハンガーの側面図、断面図、立体分解図及び立体図である。本考案に含まれるのは本体１、フック２、リング３、二つのハンガー４である。該本体１は矩形体であり、該本体の中央に本体の頂上から底部まで貫通する穴１１を具有し、同時に本体１の側面の左右に貫通する穴１２、１３を設け、該穴１２、１３の内側に溝１２１、１３１を設置する。必要な角度と方向に調整してから該ハンガー４の円柱体４１にある凸溝４１１を該溝１２１、１３１に嵌合する。
【実施例】
【００１１】
該本体１の貫通穴１１の底部から左右の穴１２、１３に通じるＴ字形溝１４を設置し、該Ｔ字形溝も側面１５を貫通する。該二つのハンガー４を本体１の底部にある貫通穴１１から入れ、Ｔ字型溝１４の横向き方向に進めて、左右にある貫通穴１２、１３に入れ、該ハンガー４の円柱体４１の凸溝４１１を貫通穴１２、１３に設ける溝１２１、１３１と互いに嵌合する。二つのハンガー４を必要の角度に開くことができるため、二つのハンガー４によって十分な風を通せるスペースができ、干す或いは乾かす時間が短縮できる。
【００１２】
図５に示すのは、本考案における多機能ハンガーのフック２及びリング３の正視図である。該フック２の本体先端にアーチ型のフック２１を設け、底部にねじ山２２(図１を参照)を設置する。該フック２を該本体１にある貫通穴１１に底部まで挿入してから、該リング３にあるナット３１と螺合し、本考案の多機能ハンガーの組立が完成する。また、該リング３の円形リング３２は自由に回転して角度を調整できる。該リング３の円形リング３２にもう一組の本考案の多機能ハンガーを吊るして使用することができる。
【産業上の利用可能性】
【００１３】
図６に示すのは本考案の多機能ハンガーのハンガー４の正視図である。該ハンガー４は円柱体４１、二つのリング４２、４３、ゴムバンド４７を含む。該ハンガー４の両サイドの傾斜辺４４、４５の頂点交わる位置に円柱体４１を設置し、該円柱体４１の外側に凸溝４１１を設ける。また、該ハンガー４の両サイドの傾斜辺４４、４５と底辺４６との接続箇所にある二つのカーブにそれぞれ一つずつのリング４２、４３を設置し、該リング４２、４３の如何なる一方の掛合部はゴムバンド４７の一端としっかりと掛合し、該ゴムバンド４７は底辺４６を巻きつけながら別リング４２、４３の掛合部で掛合する。図４に示すように、本体１の上方左右にそれぞれ４つの貫通穴１９を設け、該貫通穴１９は側面１５からサイド側に貫通する。該ゴムバンド４７を巻いた底辺４６はハンカチや靴下、スカーフ、マフラー、パンティなどの小物を該ゴムバンド４７に挿入して干す或いは乾かすことができる。或いは如何なる一つのリング４２、４３の掛合部に該ゴムバンド４７の一端と掛合し、ゴムバンド４７の別端はそのまま垂らして底辺４６を巻きつけないようにする。コート或いはシーツ、布団などに使用する際、重みで垂れる或いは落ちる場合、ゴムバンド４７の掛合していない別端を該本体１にある貫通穴１９に通してから大型物品を巻きつけ、更にゴムバンド４７を別のリング４２、４３に掛合すると、該大型物品は固定され、干す或いは乾かすことができる。
【００１４】
図７及び図８に示すのは、第二実施例の立体図及び固定台略図である。該実施例にあるスペースを取らない多機能ハンガーに含まれるのは本体１ａ、フック２ａ、リング３ａ、二つのハンガー４ａ、固定台５である。該本体１ａ、フック２ａ、リング３ａ、二つのハンガー４ａの構成は前記実施例にある本体１、フック２、リング３、二つのハンガー４の基本構造と同じであるため、再度説明をしない。唯一異なるのは固定台５であり、それに含まれるのは上下縁５１、上下の溝５２、左右のプレート５３、二つのネジ穴５４である。該固定台５はコの字の形態であり、該固定台５の座体の四隅に一つずつ及び中央に二つのネジ穴(図に未掲載)を開け、ネジを挿入して固定台５を固定する。該固定台５に上下縁５１を設け、該上下縁５１の先端から中央にかけてそれぞれ溝５２を設置する。また、該下溝５２の入り口をやや下方に傾斜させることで、本体１ａを挿入しやすく、外しやすくなる。該固定台５の左右両サイドにそれぞれプレート５３を設置し、該プレート５３にそれぞれ一つのネジ穴５４を開ける。本体１ａを該固定台５に挿入した後、該ネジ穴５４にネジを螺合して固定する。本考案の多機能ハンガーの本体１ａを固定台５の上下溝５２に挿入し、左右のプレート５３にあるネジ穴５４にネジを螺合して本体１ａと固定し、該二つのハンガー４ａの角度を調整してから、円柱体４１ａにある凸溝４１１を該本体１ａにある凹溝１２１、１３１に嵌合する。二つのハンガー４ａを同じサイドの上下に固定すると、狭いスペースでも多く干すことができる。また、本考案の多機能ハンガーを大中小など様々なサイズにすることができ、ユーザーは個人のニーズにより、縦方向の空間を使用することができ、スペースの増加に繋がる。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１、１ａ  本体
２、２ａ  フック
３、３ａ  リング
４、４ａ  ハンガー
５  固定台
１１  貫通穴
１２、１３  前後の貫通穴
１４  Ｔ字形貫通溝
１５  側面
１６  サイド側
１９  貫通穴
２１、２１ａ  アーチ型フック
２２  ねじ山
３１、３１ａ  ナット
３２  リング
４１、４１ａ  円柱体
４２、４２ａ、４３、４３ａ  リング
４４、４４ａ、４５、４５ａ  傾斜辺
４６  底辺
４７、４７ａ  ゴムバンド
５１  上下縁
５２  上下溝
５３  左右プレート
５４  ネジ穴
１２１、１３１  溝
４１１  凸溝
【図１】
0003165981.tif 000003
【図２】
0003165981.tif 000004
【図３】
0003165981.tif 000005
【図４】
0003165981.tif 000006
【図５】
0003165981.tif 000007
【図６】
0003165981.tif 000008
【図７】
0003165981.tif 000009
【図８】
0003165981.tif 000010